(57)【要約】【課題】表示パネルの輝度ムラを低減することができる表示装置を提供する。【解決手段】画像を表示する液晶セル２４と、液晶セル２４の背面側に向けて光を出射するバックライトユニット１４と、液晶セル２４とバックライトユニット１４との間に配置され、且つ、バックライトユニット１４からの光を液晶セル２４の背面側に向けて拡散させる拡散板１６と、拡散板１６がバックライトユニット１４側に撓むのを抑制するために、拡散板１６の背面側を支持する支持部材３６と、支持部材３６の周囲を包囲するようにして配置され、且つ、拡散板１６の支持部材３６に対応する領域６０に向けて光を拡散させる拡散部材５４と、を備える。【選択図】図５
2015040919.tif 000002
【特許請求の範囲】
【請求項１】
画像を表示する表示パネルと、
前記表示パネルの背面側に向けて光を出射するバックライトユニットと、
前記表示パネルと前記バックライトユニットとの間に配置され、且つ、前記バックライトユニットからの光を前記表示パネルの背面側に向けて拡散させる拡散板と、
前記拡散板が前記バックライトユニット側に撓むのを抑制するために、前記拡散板の背面側を支持する支持部材と、
前記支持部材の周囲を包囲するようにして配置され、且つ、前記拡散板の前記支持部材に対応する領域に向けて光を拡散させる拡散部材と、を備える
表示装置。
【請求項２】
前記拡散部材は、シート状に構成され、且つ、前記拡散板の背面側に対向するようにして配置されている
請求項１に記載の表示装置。
【請求項３】
前記支持部材は、
前記バックライトユニット側に配置された台座部と、
前記台座部から前記拡散板側に向けて延び、且つ、前記拡散板の背面側を支持する支持部と、を有し、
前記拡散部材には、前記支持部が挿入される孔が設けられており、
前記拡散部材は、前記支持部が前記孔に挿入されることにより、前記支持部材に取り付けられる
請求項２に記載の表示装置。
【請求項４】
前記拡散部材の前記孔の周囲の部位は、前記台座部上に支持される
請求項３に記載の表示装置。
【請求項５】
前記支持部の幅は、前記バックライトユニット側から前記拡散板側にかけて漸減しており、
前記孔の幅は、前記支持部の前記バックライトユニット側における端部の幅よりも小さい
請求項３に記載の表示装置。
【請求項６】
前記拡散板と前記拡散部材との間の距離は、２５ｍｍ以上である
請求項１〜５のいずれか１項に記載の表示装置。
【請求項７】
前記バックライトユニットは、
前記表示パネルの背面側に向けて光を出射する光源と、
前記光源からの光を前記表示パネルの背面側に向けて反射する反射シートと、を有し、
前記支持部材は、前記反射シート上に配置される
請求項１〜６のいずれか１項に記載の表示装置。
【発明の詳細な説明】
【技術分野】
【０００１】
本発明は、画像を表示するための表示装置に関する。
【背景技術】
【０００２】
例えば液晶テレビジョン受像機等のように、表示パネルの背面に向けて光を照射する直下型のバックライトユニットを備えた表示装置が知られている（例えば、特許文献１参照）。
【０００３】
この表示装置の筐体には、表示パネル、バックライトユニット及び拡散板等が収納されている。バックライトユニットは、表示パネルの背面側に配置されている。拡散板は、表示パネルとバックライトユニットとの間に配置されている。バックライトユニットから出射した光は、拡散板により拡散された後に、表示パネルの背面側を照射する。
【０００４】
表示装置の筐体には、さらに、拡散板がバックライトユニット側に撓むのを抑制するための支持部材が収納されている。この支持部材は、例えば透明の樹脂等で形成されており、拡散板の背面側を支持している。
【先行技術文献】
【特許文献】
【０００５】
【特許文献１】特開２０１０−２７２２４５号公報
【発明の概要】
【発明が解決しようとする課題】
【０００６】
しかしながら、上述した従来の表示装置では、次のような課題が生じる。バックライトユニットから出射した光の一部は、支持部材の表面で反射又は支持部材を透過した後に、拡散板の背面側に入射する。これにより、拡散板の支持部材に対応する領域には、支持部材の影が生じるようになる。その結果、表示パネルに輝度ムラが発生するという課題が生じる。
【０００７】
本発明は、上述した課題を解決しようとするものであり、その目的は、表示パネルの輝度ムラを低減することができる表示装置を提供することである。
【課題を解決するための手段】
【０００８】
上記目的を達成するために、本発明の一態様に係る表示装置は、画像を表示する表示パネルと、前記表示パネルの背面側に向けて光を出射するバックライトユニットと、前記表示パネルと前記バックライトユニットとの間に配置され、且つ、前記バックライトユニットからの光を前記表示パネルの背面側に向けて拡散させる拡散板と、前記拡散板が前記バックライトユニット側に撓むのを抑制するために、前記拡散板の背面側を支持する支持部材と、前記支持部材の周囲を包囲するようにして配置され、且つ、前記拡散板の前記支持部材に対応する領域に向けて光を拡散させる拡散部材と、を備える。
【０００９】
本態様によれば、支持部材の周囲を包囲するようにして拡散部材が配置されているので、バックライトユニットからの光の一部は、拡散部材に入射した際に、拡散板の支持部材に対応する領域に向けて拡散される。これにより、当該領域に支持部材の影が生じるのを抑制することができ、表示パネルの輝度ムラを低減することができる。
【００１０】
例えば、本発明の一態様に係る表示装置において、前記拡散部材は、シート状に構成され、且つ、前記拡散板の背面側に対向するようにして配置されているように構成してもよい。
【００１１】
本態様によれば、拡散部材をシート状に構成することができる。
【００１２】
例えば、本発明の一態様に係る表示装置において、前記支持部材は、前記バックライトユニット側に配置された台座部と、前記台座部から前記拡散板側に向けて延び、且つ、前記拡散板の背面側を支持する支持部と、を有し、前記拡散部材には、前記支持部が挿入される孔が設けられており、前記拡散部材は、前記支持部が前記孔に挿入されることにより、前記支持部材に取り付けられるように構成してもよい。
【００１３】
本態様によれば、拡散部材には孔が設けられているので、支持部を孔に挿入することにより、拡散部材を支持部材に取り付けることができる。
【００１４】
例えば、本発明の一態様に係る表示装置において、前記拡散部材の前記孔の周囲の部位は、前記台座部上に支持されるように構成してもよい。
【００１５】
本態様によれば、拡散部材の孔の周囲の部位が台座部上に支持された状態で、拡散部材を支持部材に取り付けることができる。
【００１６】
例えば、本発明の一態様に係る表示装置において、前記支持部の幅は、前記バックライトユニット側から前記拡散板側にかけて漸減しており、前記孔の幅は、前記支持部の前記バックライトユニット側における端部の幅よりも小さいように構成してもよい。
【００１７】
本態様によれば、孔の幅は、支持部のバックライトユニット側における端部の幅よりも小さいので、拡散部材が台座部から浮いた状態で、拡散部材を支持部材に取り付けることができる。
【００１８】
例えば、本発明の一態様に係る表示装置において、前記拡散板と前記拡散部材との間の距離は、２５ｍｍ以上であるように構成してもよい。
【００１９】
本態様によれば、拡散板と拡散部材との間の距離は２５ｍｍ以上であるので、拡散板の支持部材に対応する領域における輝度が高くなり過ぎるのを抑制することができる。
【００２０】
例えば、本発明の一態様に係る表示装置において、前記バックライトユニットは、前記表示パネルの背面側に向けて光を出射する光源と、前記光源からの光を前記表示パネルの背面側に向けて反射する反射シートと、を有し、前記支持部材は、前記反射シート上に配置されるように構成してもよい。
【００２１】
本態様によれば、バックライトユニットは光源及び反射シートを有しているので、支持部材を反射シート上に配置することができる。
【発明の効果】
【００２２】
本発明の一態様に係る表示装置によれば、表示パネルの輝度ムラを低減することができる。
【図面の簡単な説明】
【００２３】
【図１】実施の形態１に係る表示装置の外観を示す図である。
【図２】実施の形態１に係る表示装置を分解した状態を示す分解斜視図である。
【図３】図１中のＡ−Ａ線により切断した表示装置の断面図である。
【図４Ａ】支持部材を示す斜視図である。
【図４Ｂ】支持部材の台座部の裏面側を示す斜視図である。
【図５】図３の支持部材及びその周辺の構成を示す要部断面図である。
【図６】拡散部材を支持部材に取り付ける前の状態を示す要部斜視図である。
【図７】拡散部材を支持部材に取り付けた状態を示す要部斜視図である。
【図８】実施の形態２に係る表示装置の支持部材及びその周辺の構成を示す要部断面図である。
【図９】図８の拡散部材を裏面側から見た様子を示す要部斜視図である。
【図１０】実施の形態３に係る表示装置の支持部材及びその周辺の構成を示す要部断面図である。
【図１１】図１０の支持部材及びその周辺の構成を示す要部斜視図である。
【図１２】実施の形態４に係る表示装置の支持部材及びその周辺の構成を示す要部斜視図である。
【発明を実施するための形態】
【００２４】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２５】
（実施の形態１）
［表示装置の全体構成］
まず、図１及び図２を参照しながら、実施の形態１に係る表示装置の全体構成について説明する。図１は、実施の形態１に係る表示装置の外観を示す図である。図２は、実施の形態１に係る表示装置を分解した状態を示す分解斜視図である。
【００２６】
図１及び図２に示すように、本実施の形態の表示装置２は、筐体４を備えた液晶テレビジョン受像機である。筐体４は、フロントキャビネット６及びリアフレーム８が相互に組み合わされることにより構成されている。
【００２７】
フロントキャビネット６は、枠状に構成されており、後述する液晶セル２４（表示パネルを構成する）の外周部を覆っている。なお、フロントキャビネット６は、例えば樹脂で形成されている。
【００２８】
リアフレーム８は、液晶セル２４の背面側を覆うようにして配置されている。リアフレーム８の外周部には、フランジ部８ａが設けられている。なお、リアフレーム８は、例えばＳＥＣＣ（Ｓｔｅｅｌ  Ｅｌｅｃｔｒｉｃａｌｌｙ  Ｃｈｒｏｍａｔｅ  Ｃｏａｔｅｄ：電気亜鉛メッキ鋼）等の板金で形成されている。
【００２９】
リアフレーム８の外面には、液晶セル２４等に対して電力を供給するための電源基板等（図示せず）が取り付けられている。リアフレーム８の外面には、さらに、上述した電源基板等を覆うようにしてリアカバー１０が取り付けられている。リアカバー１０の下端部には、筐体４を下方より支持するためのスタンド１２が取り付けられている。なお、リアカバー１０は、例えば樹脂で形成されている。
【００３０】
図２に示すように、筐体４の内部には、バックライトユニット１４、拡散板１６、一対の光学シート１８，２０、４個のセルガイド２２ａ〜２２ｄ、液晶セル２４及び４個のベゼル２６ａ〜２６ｄが配置されている。
【００３１】
［表示装置の内部構造］
次に、図２及び図３を参照しながら、表示装置２の内部構造について説明する。図３は、図１中のＡ−Ａ線により切断した表示装置の断面図である。
【００３２】
バックライトユニット１４は、例えば直下型のバックライトユニットであり、液晶セル２４の背面に向けて光を照射するためのものである。図２及び図３に示すように、バックライトユニット１４は、反射シート２８及び複数のＬＥＤ（Ｌｉｇｈｔ  Ｅｍｉｔｔｉｎｇ  Ｄｉｏｄｅ）バー３０を有している。
【００３３】
反射シート２８は、リアフレーム８の内面を覆うようにして配置されている。反射シート２８は、複数のＬＥＤバー３０の各々からの光を液晶セル２４の背面側に向けて反射するためのものである。
【００３４】
複数のＬＥＤバー３０は、間隔を置いて且つ互いに略平行に配置されている。複数のＬＥＤバー３０の各々は、配線基板３２と、配線基板３２に実装された複数のＬＥＤ３４（複数のＬＥＤ３４の各々は光源を構成する）と、を有している。配線基板３２は、長尺状の板状に構成されている。複数のＬＥＤ３４は、配線基板３２の長手方向に沿って一列に且つ間隔を置いて配置されている。配線基板３２は、熱伝導性を有する両面テープ（図示せず）により反射シート２８上に取り付けられている。なお、配線基板３２は、熱伝導性の高い金属、例えばアルミニウム等で形成されている。
【００３５】
図２及び図３に示すように、拡散板１６は、矩形状の薄い板状に構成されており、バックライトユニット１４と液晶セル２４との間に配置されている。拡散板１６は、バックライトユニット１４からの光を液晶セル２４の背面側に向けて拡散するためのものである。
【００３６】
一対の光学シート１８，２０はそれぞれ、相互に重ね合わされた状態で、拡散板１６の表面側を覆うようにして配置されている。一対の光学シート１８，２０の各々は、例えば、拡散板１６により拡散された光を液晶セル２４の背面に導くためのものである。
【００３７】
なお、図３に示すように、上述した反射シート２８、拡散板１６及び一対の光学シート１８，２０の各々の外周部は、リアフレーム８のフランジ部８ａに支持されている。
【００３８】
４個のセルガイド２２ａ〜２２ｄの各々は、長尺状に構成されている。４個のセルガイド２２ａ〜２２ｄは、相互に組み合わされることにより、全体として枠状に構成されている。枠状に組み合わされた４個のセルガイド２２ａ〜２２ｄは、リアフレーム８のフランジ部８ａに取り付けられている。
【００３９】
液晶セル２４は、矩形状のパネル状に構成されている。液晶セル２４の背面側における外周部は、枠状に組み合わされた４個のセルガイド２２ａ〜２２ｄに支持されている。バックライトユニット１４からの光が液晶セル２４の背面側を照射することにより、液晶セル２４に画像が表示される。
【００４０】
４個のベゼル２６ａ〜２６ｄの各々は、長尺状に構成されている。４個のベゼル２６ａ〜２６ｄは、相互に組み合わされることにより、全体として枠状に構成されている。枠状に組み合わされた４個のベゼル２６ａ〜２６ｄは、液晶セル２４の表面側における外周部を覆っている。
【００４１】
なお、フロントキャビネット６は、枠状に組み合わされた４個のベゼル２６ａ〜２６ｄを覆うようにして、リアフレーム８に取り付けられている。
【００４２】
［支持部材の構成］
次に、図４Ａ〜図５をも参照しながら、支持部材３６の構成について説明する。図４Ａは、支持部材を示す斜視図である。図４Ｂは、支持部材の台座部の裏面側を示す斜視図である。図５は、図３の支持部材及びその周辺の構成を示す要部断面図である。
【００４３】
図２及び図３に示すように、反射シート２８上には、複数（本実施の形態では４個）の支持部材３６が配置されている。複数の支持部材３６の各々は、拡散板１６がバックライトユニット１４側に撓むのを抑制するためのものであり、拡散板１６の背面側を支持している。
【００４４】
図４Ａに示すように、支持部材３６は、台座部３８及び支持部４０を有している。なお、支持部材３６は、例えば透明の樹脂で形成されている。
【００４５】
台座部３８は、円形状の板状に構成されている。図４Ｂに示すように、台座部３８の裏面には、フック部４２及び突部４４が設けられている。フック部４２は、反射シート２８及びリアフレーム８にそれぞれ設けられた貫通孔４６，４８に挿入されている。図５に示すように、フック部４２がリアフレーム８の貫通孔４８に引っ掛かることによって、支持部材３６がリアフレーム８に取り付けられる。なお、支持部材３６がリアフレーム８に取り付けられた状態では、台座部３８は、反射シート２８上に（すなわち、バックライトユニット１４側に）配置されている。突部４４は、反射シート２８及びリアフレーム８にそれぞれ設けられた貫通孔５０，５２に挿入されている。突部４４がリアフレーム８の貫通孔５２に挿入されることによって、支持部材３６のリアフレーム８に対する回転が規制される。
【００４６】
図４Ａに示すように、支持部４０は、三角形状の薄い板状に構成されている。支持部４０は、台座部３８から拡散板１６側に向けて延びている。支持部４０の幅ｄは、バックライトユニット１４側から拡散板１６側にかけて漸減している。図５に示すように、支持部材３６がリアフレーム８に取り付けられた状態では、支持部４０は、拡散板１６の背面側を支持している。
【００４７】
［拡散部材の構成］
次に、図６及び図７をも参照しながら、本実施の形態の表示装置２の特徴的な構成である、拡散部材５４の構成について説明する。図６は、拡散部材を支持部材に取り付ける前の状態を示す要部斜視図である。図７は、拡散部材を支持部材に取り付けた状態を示す要部斜視図である。
【００４８】
図２及び図５〜図７に示すように、複数の支持部材３６の各々には、拡散部材５４が取り付けられている。拡散部材５４は、円形状のシート状に構成されている。なお、拡散部材５４は、例えばポリエチレンテレフタレート（ＰＥＴ）等の樹脂で形成されている。拡散部材５４は、拡散部材５４を反射した光及び拡散部材５４を透過した光をそれぞれ拡散させる光学的機能を有している。
【００４９】
図５及び図６に示すように、拡散部材５４の中央部には、スリット状の孔５６が設けられている。孔５６の幅Ｄ１は、支持部４０のバックライトユニット１４側における端部４０ａの幅Ｄ２と略同一である。
【００５０】
拡散部材５４を支持部材３６に取り付ける際には、図６及び図７に示すように、拡散部材５４の孔５６に支持部４０を挿入する。これにより、図５に示すように、拡散部材５４の孔５６の周囲の部位が支持部材３６の台座部３８上に支持される。拡散部材５４が支持部材３６に取り付けられた状態では、拡散部材５４は、支持部材３６の周囲を包囲するようにして、且つ、拡散板１６の背面側に対向するようにして配置される。このとき、拡散部材５４は、台座部３８の厚み分だけ反射シート２８から浮いた状態で、支持部材３６に取り付けられている。なお、拡散部材５４がバックライトユニット１４側に撓むことにより、拡散部材５４の外周部等が反射シート２８に接触しても実用上差し支えない。
【００５１】
拡散部材５４の直径は、支持部材３６の周囲に配置された複数のＬＥＤ３４の各々に接触しないような大きさに設定されている。なお、拡散部材５４の直径は、例えば約２００ｍｍである。
【００５２】
［効果］
次に、本実施の形態の表示装置２により得られる効果について説明する。複数のＬＥＤ３４の各々から出射した光は、拡散板１６及び一対の光学シート１８，２０をそれぞれ透過した後に、液晶セル２４の背面側を照射する。複数のＬＥＤ３４の各々から出射した光の一部は、拡散板１６の背面側で反射された後に、反射シート２８でさらに反射される。このように、反射シート２８と拡散板１６との間の空間５８には、複数のＬＥＤ３４の各々から出射された光、反射シート２８で反射された光及び拡散板１６の背面側で反射された光等が混ざり合って存在している。
【００５３】
本願明細書の発明が解決しようとする課題の欄で説明したように、空間５８に存在する光の一部は、支持部４０の表面で反射及び支持部４０を透過した後に、拡散板１６の背面側に入射する。これにより、拡散板１６の支持部材３６に対応する領域６０（すなわち、支持部４０によって支持される部位及びその周囲の領域）には、支持部材３６の影が生じる傾向にある。なお、この影の形状は、例えば、支持部４０によって支持される部位を中心として放射状に延びる形状である。
【００５４】
これに対して、本実施の形態の表示装置２では、上述したように、支持部材３６の周囲を包囲するようにして拡散部材５４が配置されている。図５に示すように、空間５８に存在する光の一部は、拡散部材５４の表面に入射した際に拡散する。この拡散した光は、拡散板１６の背面側に向けて出射され、拡散板１６の領域６０を照射する。これにより、当該領域６０に支持部材３６の影が生じるのを抑制することができる。その結果、液晶セル２４の輝度ムラを低減することができる。
【００５５】
なお、拡散部材５４と拡散板１６との間の距離Ｌは、２５ｍｍ以上であるのが好ましい。これにより、液晶セル２４の輝度ムラをより効果的に低減することができる。距離Ｌが２５ｍｍ未満である場合には、液晶セル２４の支持部材３６に対応する領域における輝度が高くなり、液晶セル２４に輝度ムラが発生するおそれがある。
【００５６】
（実施の形態２）
次に、図８及び図９を参照しながら、実施の形態２に係る表示装置の構成について説明する。図８は、実施の形態２に係る表示装置の支持部材及びその周辺の構成を示す要部断面図である。図９は、図８の拡散部材を裏面側から見た様子を示す要部斜視図である。なお、以下に示す各実施の形態において、上記実施の形態１と同一の構成要素には同一の符号を付して、その説明を省略する。
【００５７】
図８及び図９に示すように、本実施の形態の表示装置２Ａでは、拡散部材５４Ａの孔５６Ａの幅Ｄ３は、支持部４０のバックライトユニット１４側における端部４０ａの幅Ｄ２よりも小さい。これにより、拡散部材５４Ａは、台座部３８から浮いた状態で支持部４０に支持される。なお、拡散部材５４Ａは、上記実施の形態１の拡散部材５４と同様に、円形状のシート状に構成されている。
【００５８】
空間５８に存在する光の一部は、拡散部材５４Ａの表面（すなわち、拡散板１６側の面）及び裏面（すなわち、バックライトユニット１４側の面）にそれぞれ入射した際に拡散する。特に、本実施の形態では、拡散板１６に影が生じる直接的な原因となる、支持部材３６に最も近いＬＥＤ３４からの光は、拡散部材５４Ａの裏面に入射した際に拡散する。これにより、拡散板１６の領域６０に支持部材３６の影が生じるのをより効果的に抑制することができる。
【００５９】
（実施の形態３）
次に、図１０及び図１１を参照しながら、実施の形態３に係る表示装置の構成について説明する。図１０は、実施の形態３に係る表示装置の支持部材及びその周辺の構成を示す要部断面図である。図１１は、図１０の支持部材及びその周辺の構成を示す要部斜視図である。
【００６０】
図１０及び図１１に示すように、本実施の形態の表示装置２Ｂでは、拡散部材５４Ｂは、円錐台形状に構成されている。拡散部材５４Ｂの中央部には、スリット状の孔５６Ｂが設けられている。なお、孔５６Ｂは、拡散部材５４Ｂをその厚み方向に貫通する貫通孔である。孔５６Ｂの幅Ｄ４は、支持部４０のバックライトユニット１４側における端部４０ａの幅Ｄ２と略同一である。なお、図１１において、拡散部材５４Ｂの表面に付した複数本の線は、拡散部材５４Ｂの形状を表現するためのものである。
【００６１】
拡散部材５４Ｂを支持部材３６に取り付ける際には、拡散部材５４Ｂの孔５６Ｂに支持部４０を挿入する。これにより、図１０に示すように、拡散部材５４Ｂの裏面側における孔５６Ｂの周囲の部位が支持部材３６の台座部３８上に支持される。
【００６２】
本実施の形態のように、拡散部材５４Ｂの形状をシート状以外の形状とした場合であっても、上記実施の形態１と同様の効果を得ることができる。
【００６３】
（実施の形態４）
次に、図１２を参照しながら、実施の形態４に係る表示装置の構成について説明する。図１２は、実施の形態４に係る表示装置の支持部材及びその周辺の構成を示す要部斜視図である。
【００６４】
図１２に示すように、本実施の形態の表示装置２Ｃでは、拡散部材５４Ｃは、ドーナツ形状のシート状に構成されている。拡散部材５４Ｃの中央部には、円形状の孔５６Ｃが設けられている。孔５６Ｃの直径は、台座部３８の直径よりも大きい。
【００６５】
拡散部材５４Ｃを支持部材３６の周囲に配置する際には、拡散部材５４Ｃの孔５６Ｃに支持部４０を挿入する。これにより、拡散部材５４Ｃは、反射シート２８に接触するようにして配置される。なお、拡散部材５４Ｃは、例えば両面テープ６２により反射シート２８上に固定される。
【００６６】
本実施の形態のように拡散部材５４Ｃが支持部材３６に取り付けられない場合であっても、拡散部材５４Ｃを、支持部材３６の周囲を包囲するようにして、且つ、拡散板１６の背面側に対向するようにして配置することができる。これにより、上記実施の形態１と同様の効果を得ることができる。
【００６７】
以上、本発明の実施の形態１〜４に係る表示装置について説明したが、本発明は、これらの実施の形態に限定されるものではない。例えば、上記各実施の形態をそれぞれ組み合わせるとしてもよい。
【００６８】
上記各実施の形態では、表示装置が液晶テレビジョン受像機である場合について説明したが、表示装置は、液晶テレビジョン受像機以外に、例えばパーソナルコンピュータ用の液晶モニタ等でもよい。
【００６９】
上記各実施の形態では、支持部材を複数個設けたが、支持部材を１個のみ設けることもできる。
【００７０】
上記各実施の形態では、拡散部材を円形状に構成したが、これに限定されず、例えば四角形及び五角形等の多角形状、あるいは、楕円形状等の任意の形状で構成することもできる。
【産業上の利用可能性】
【００７１】
本発明の表示装置は、例えば、液晶テレビジョン受像機等として適用することができる。
【符号の説明】
【００７２】
２，２Ａ，２Ｂ，２Ｃ  表示装置
４  筐体
６  フロントキャビネット
８  リアフレーム
８ａ  フランジ部
１０  リアカバー
１２  スタンド
１４  バックライトユニット
１６  拡散板
１８，２０  光学シート
２２ａ，２２ｂ，２２ｃ，２２ｄ  セルガイド
２４  液晶セル
２６ａ，２６ｂ，２６ｃ，２６ｄ  ベゼル
２８  反射シート
３０  ＬＥＤバー
３２  配線基板
３４  ＬＥＤ
３６  支持部材
３８  台座部
４０  支持部
４０ａ  端部
４２  フック部
４４  突部
４６，４８，５０，５２  貫通孔
５４，５４Ａ，５４Ｂ，５４Ｃ  拡散部材
５６，５６Ａ，５６Ｂ，５６Ｃ  孔
５８  空間
６０  領域
６２  両面テープ
【図１】
2015040919.tif 000003
【図２】
2015040919.tif 000004
【図３】
2015040919.tif 000005
【図４Ａ】
2015040919.tif 000006
【図４Ｂ】
2015040919.tif 000007
【図５】
2015040919.tif 000008
【図６】
2015040919.tif 000009
【図７】
2015040919.tif 000010
【図８】
2015040919.tif 000011
【図９】
2015040919.tif 000012
【図１０】
2015040919.tif 000013
【図１１】
2015040919.tif 000014
【図１２】
2015040919.tif 000015